(57)【特許請求の範囲】
【請求項１】
相関関係を呈するデータ・グループの繰り返しシーケンスを備えたテスト信号成分を含む伝送されたテレビジョン信号の多重通路成分を減少させる手段を含むテレビジョン信号受信機において、
前記多重通路成分を減少させる手段により処理される前に、前記テレビジョン信号のビデオ信号成分に応答して、前記データ・グループの繰り返しシーケンス期間に等しい遅延量だけビデオ信号を遅延させる遅延手段と、
信号間の相関をとる相関検出手段であって、前記ビデオ信号と前記遅延されたビデオ信号とをそれぞれ受信する第１及び第２入力端子を有する相関検出手段であり、該受信した前記ビデオ信号と前記遅延されたビデオ信号との相関量を表す出力制御信号を供給する相関検出手段と、
該相関検出手段からの出力制御信号を、前記多重通路成分を減少させる手段に結合させる手段と
を備えたことを特徴とするテレビジョン信号受信機。
【発明の詳細な説明】
【０００１】
【産業上の利用分野】
本発明は、テレビジョン信号の多重通路成分を減少させる手段を含むテレビジョン信号受信機に関する。
【０００２】
【発明の背景】
ビデオ信号から多重通路ひずみを除去するシステムが多数開発されている。テレビジョン信号の処理に関して、このようなシステムは、通常、ゴースト除去システムと呼ばれている。一般に、これらのシステムは、受信した信号から多重通路成分を除去する適応型フィルタを構成するために、受信したテスト信号を理想的な形のテスト信号と比較する技術を受像機において使用する。
【０００３】
米国特許第５，０６５，２４２号、ディートリッヒ（Ｄｉｅｔｒｉｃｈ）氏外に述べられている１つのゴースト除去システムは、有利なことに、伝送された信号中に反復擬似乱数（ＰＲＮ）シーケンスが組み込まれている。特に、テレビジョン放送信号の垂直帰線消去期間内の水平ライン中に擬似ランダムシーケンス・トレーニング信号が組み込まれている。受信したトレーニング信号は、最初の処理の後、高速フーリエ変換（ＦＦＴ）装置により変換され、局部的に供給される劣化されてないトレーニング信号の高速フーリエ変換を使って畳込みが解かれ、多重通路補正フィルタの係数を発生するために処理される。
【０００４】
【発明の概要】
本発明の原理に従い、規定された間隔を占有し相関関係を呈しているデータ・グループの繰返しシーケンス（例えば、擬似乱数シーケンス）を組み入れている形式のトレーニング信号の存在をビデオ信号の中に確実に検出することが望ましいことがここに認識される。この目的を達するために、テレビジョン信号に応答する手段が、相関関係の存在を表わす制御信号を発生する。そして、テレビジョン信号と制御信号に応答する手段が、テレビジョン信号の多重通路成分を減少させる。
【０００５】
本発明の一実施例に従って、相関器は、トレーニング信号成分を含んでいるビデオ信号と、このようなビデオ信号が遅延された信号を受け取る。遅延量は、擬似乱数（ＰＲＮ）シーケンス期間にほぼ等しい。擬似ランダムシーケンスが存在すると、相関器の出力は閾値を超え、擬似ランダムシーケンスを含んでいるビデオ信号の部分（例えば、ライン）は、ゴースト画像のような多重通路効果を打消すために、選択され処理されて、フィルタを構成するための係数を発生する。
【０００６】
更に別の実施例では、相関器（乗算器）へのビデオ信号入力は平均値成分が除去されており、相関器の出力は、比較器により処理される前に積分される。
【０００７】
【実施例】
図１で、受信されたテレビジョン信号から得られるビデオ入力信号は、画像期間中に画像情報を含んでおり、またトレーニング信号すなわちテスト信号を含んでいる。このテスト信号は、垂直帰線消去期間中の予め定められる水平ライン内に配置されており、３繰返し擬似乱数（ＰＲＮ）シーケンスを含んでいる。このようなテスト信号は前述の米国特許第５，０６５，２４２号に詳しく述べられている。また、この明細書でも参照しており、図２に概略が示されている。図２に示すテスト信号は、連続する水平帰線消去“バックポーチ”期間Ｂ１およびＢ２と、それに関連する同期パルスＰ１およびＰ２との間で、垂直帰線消去期間中の水平ライン期間に、３つの２５６サンプル擬似乱数シーケンスＡ，Ｂ、およびＣを含んでいる。類似しているので、シーケンスＡ，Ｂ、およびＣは高い相関性を示す。
【０００８】
図１、図３および図４の実施例で、類似した要素には同じ参照番号が付けてある。図１において、ＰＲＮテスト信号を含んでいる入力ビデオ信号は、遅延回路１０と平均値検出器１２に供給され、その出力は、合成器１４すなわち差分器の加算（＋）入力および減算（−）入力に供給される。遅延回路１０が呈する遅延は１つのＰＲＮ期間、この例では約１８．９マイクロセカンドにほぼ等しい。検出器１２は約１マイクロセカンドの時定数を呈する。検出器１２は平均レベルとビデオ信号の直流成分を検出する。差分器１４の差信号出力は、遅延されたビデオ信号と検出された平均レベルとの差を表わす。すなわち、差分器１４からの出力信号には、直流成分を含む平均ビデオ信号情報がほとんどない。
【０００９】
入力ビデオ信号と合成器１４からの出力ビデオ信号は、乗算器１６に供給される。乗算器１６は、これら２つの入力信号の相関関係を表わす出力信号を供給する。乗算器１６からの大きな出力信号は、入力信号の相関性が比較的高いことを表わしている。乗算器１６からの出力信号は、約３０マイクロセカンドの時定数を有する積分器１８により積分される。積分器１８からの出力信号は、比較器２０により基準レベルと比較される。閾値レベルＲＥＦを超えると、乗算器１６に供給される入力信号間の相関性が著しいことを示し、このような状態を表わす出力信号が比較器２０により発生される。従って、ＰＲＮシーケンスを有するテスト信号の存在が検出される。出力信号は、図６に関して説明するように、ゴーストを減少させる目的でテスト信号の処理を可能にするために使用される。
【００１０】
相関関係はテスト信号のＰＲＮシーケンスＡとＢの間で決定され、平均値検出機能はシーケンスＡに関して行われる。相関関係は他のＰＲＮシーケンスの組み合わせ、例えばＢとＣに関しても決定される。
【００１１】
図１の構成、およびこれから述べる図３と図４の構成は、アナログ形式でもディジタル形式でも実施できる。これらの構成はＲ−Ｃ型の時定数で連続的に動作し、あるいは同期ベースで動作することもでき、その場合、平均値検出器は各テスト信号ラインの初めにリセットされ、平均値は、１８．９マイクロセカンドのＰＲＮシーケンス期間に１４．３２ＭＨｚの速度で最初の２５６サンプルについて計算される。このような場合、例えば相関関係はシーケンスＡとＢの間で決定され、平均値の検出はシーケンスＡについて行われる。
【００１２】
遅延回路１０と平均値検出器１２に供給されるビデオ入力信号は、低域フィルタで濾波されて、４．２ＭＨｚ以下のチャンネル帯域幅（ＮＴＳＣ方式の場合）例えば２．５〜３．０ＭＨｚにされ、さほど正確でない遅延でも遅延回路１０で使用できるようにする。また、遅延回路１０により発生される遅延は、２つのＰＲＮシーケンス期間、すなわち１４．３２ＭＨｚの速度で５１２個のサンプルに相当し、それによって遅延回路１０は約３７マイクロセカンドの遅延を生じる。また、積分器１８は１水平ライン期間全体にわたって積分する必要はない。
【００１３】
図３の構成で、ビデオ入力信号は遅延回路１０によって遅延された後、乗算器１６の入力に直接供給される。乗算器１６のもう一方の入力は、平均値検出／差分回路３１２からの出力信号を受け取る。特に、ビデオ入力信号は、単位利得バッファ増幅器３２２を介して、抵抗３２４とコンデンサ３２６を含んでいる平均値応答ＲＣ回路に結合される。単位利得差動増幅器３２８は、バッファ増幅器３２２の出力におけるビデオ信号と、回路要素３２４および３２６により発生される電圧との差を表わす出力信号を供給する。増幅器３２８からの出力ビデオ信号には平均値および直流成分がほとんどない。積分器１８は抵抗３３０とコンデンサ３３３から成り、比較器２０のための基準電圧ＲＥＦはポテンシオメータ３３５により供給される。
【００１４】
図４の構成で、ビデオ入力信号は、約１マイクロセカンドの短遅延要素４４０を介して、単位利得差動増幅器４４２の非反転（＋）入力に直流結合される。増幅器４４２の反転（−）入力はビデオ入力信号を直接受け取る。短遅延要素４４０および差分器４４２によって、平均値および直流成分は、差分器４４２の出力信号からほぼ除去される。乗算器１６は、差分器４４２の出力信号に直接応答すると共に、遅延回路１０により遅延されたこの出力信号にも応答する。
【００１５】
図５は乗算器１６のために使用される回路を示す。第１の入力信号Ａおよび第２の入力信号Ｂは、それぞれ負の単位利得を有する増幅器５１０およびゼロより大きい予め定められる利得を有する増幅器５１２に結合される。電子スイッチ５１５の入力は、それぞれ第１の入力信号Ａを直接に、そして増幅器５１０からの出力信号を受け取る。スイッチ５１５の位置は増幅器５１２からの出力信号によって決定される。信号Ｂがゼロよりも大きいかまたはゼロに等しければ、スイッチの出力信号Ｃは入力信号Ａに一致する。信号Ｂがゼロよりも小さければ、スイッチの出力信号Ｃは入力信号Ａの負の形に一致する。出力信号Ｃは、入力信号の相関関係の指標として用いられる。図５の構成および従来の乗算器は、いずれも制御される非線形デバイスであり、２つの入力（このうち１つは伝達関数を制御する）に応答して積に似た出力を発生する。
【００１６】
図６のブロック図は、信号のゴースト除去装置を含んでいるテレビジョン受像機の一部を表わす。テストライン検出／選択装置６５０を除いて、図６の構成は前述の米国特許第５，０６５，２４２号に詳しく述べられている。入力ビデオ信号は従来のチューナ６２２および中間周波（ＩＦ）処理回路６２４により処理され、検波されたベースバンドのビデオ信号を発生し、この信号は適応型ゴースト除去フィルタ６４２に供給される。装置６５０は検波されたベースバンドのビデオ信号に応答して、ＰＲＮシーケンステスト信号を含んでいるテストラインの存在を表示する制御信号を発生する。制御信号は図１、図３または図４に示す実施例のいずれによっても発生される。制御信号により、ライン選択器（回路６５０にも含まれている）はテストラインを係数計算器６５５に導くことができる。係数計算器６５５により計算される係数は、米国特許第５，０６５，２４２号に述べられているように、フィルタ６４２の応答を変更して、ビデオ出力信号中の画像ゴーストを減少させあるいは除去するようにする。このビデオ出力信号は、従来のテレビジョン受像機の画像信号処理回路により処理された後に、貯えられ、記録されそして／あるいは画面に表示することができる。
【図面の簡単な説明】
【図１】本発明による装置の実施例を示す。
【図２】本発明による装置の動作を理解するのに役立つ波形である。
【図３】本発明による装置の実施例を示す。
【図４】本発明による装置の実施例を示す。
【図５】図１、図３および図４の装置の要素の別の形態を示す。
【図６】本発明による装置に関連して画像ゴーストの除去を行うテレビジョン受像機の一部のブロック図である。
【符号の説明】
１０    遅延回路
１２    平均値検出器
１４    合成器
１６    乗算器
１８    積分器
２０    比較器
３１２    平均値検出／差分回路
３２２    単位利得バッファ増幅器
３２８    単位利得差動増幅器
３３５    ポテンシオメータ
４４０    短遅延要素
４４２    単位利得差動増幅器
５１０    増幅器
５１２    増幅器
６２４    中間周波（ＩＦ）処理回路
６４２    適応型ゴースト除去フィルタ
６５０    テストライン検出／選択回路
６５５    係数計算器
【図１】
0003670299.tif 000002
【図２】
0003670299.tif 000003
【図３】
0003670299.tif 000004
【図４】
0003670299.tif 000005
【図５】
0003670299.tif 000006
【図６】
0003670299.tif 000007